(57)【特許請求の範囲】
【請求項１】
無線通信ネットワーク（３００）内でのハンドオーバに使用されるセル変更手順を構成するユーザ機器（３１０）における方法であって、前記ユーザ機器（３１０）はサービングセル（３０６）内に位置しており、前記ユーザ機器（３１０）は該ユーザ機器（３１０）が前記サービングセル（３０６）から移動可能なセルのリストを含むセルのアクティブセットのリストを含み、前記方法は、
前記アクティブセットへの少なくとも１つの更なるセルの追加を前記無線通信ネットワーク（３００）に含まれるネットワークコントローラ（３１５）に通知する測定レポートを該ネットワークコントローラ（３１５）に送信するステップ（５０１）と、
アクティブセット更新を前記ネットワークコントローラ（３１５）から受信するステップ（５０２）であって、前記アクティブセット更新は、前記アクティブセットに追加される前記少なくとも１つの更なるセルについての情報と、前記少なくとも１つの更なるセルがハンドオーバに修正セル変更手順が使用されるセルのリストに追加されるか否かを示す情報要素とを含む、ステップと、
現在のサービングセル（３０６）より強い隣接セル（３０８）を検出するステップ（５０３）と、
前記検出された強い隣接セル（３０８）を前記受信した修正セル変更手順が使用されるセルのリストとマッチングするステップ（５０４）と、
前記強い隣接セル（３０８）が前記リスト内のセルと一致することが判明した場合、前記強い隣接セル（３０８）へのハンドオーバに前記修正セル変更手順を適用するステップ（５０５）と、
を含むことを特徴とする方法。
【請求項２】
前記強い隣接セル（３０８）が一致しないことが判明した場合、前記ハンドオーバに通常のセル変更手順を適用するステップ（５０６）を更に含むことを特徴とする請求項１に記載の方法。
【請求項３】
前記修正セル変更手順は、前記強い隣接セル（３０８）を介したセル変更コマンドの送信を含むことを特徴とする請求項１に記載の方法。
【請求項４】
前記アクティブセット更新のメッセージは、無線リソース制御シグナリングを介して送信されることを特徴とする請求項１に記載の方法。
【請求項５】
修正セル変更手順が適用されるセルは、情報要素「ターゲットセル事前構成情報」を対応する「無線リンク追加情報」に含めることによりシグナリングされることを特徴とする請求項１に記載の方法。
【請求項６】
前記強い隣接セル（３０８）は、前記現在のサービングセル（３０６）と比較してより高い信号強度を隣接セル内で測定するユーザ機器（３１０）により検出されることを特徴とする請求項１に記載の方法。
【請求項７】
前記測定された信号は共通パイロットであることを特徴とする請求項６に記載の方法。
【請求項８】
前記セル変更手順は高速サービングセル変更手順であることを特徴とする請求項１乃至７の何れか一項に記載の方法。
【請求項９】
無線通信ネットワーク内でのハンドオーバに使用されるセル変更手順を構成するネットワークコントローラ（３１５）における方法であって、前記ネットワークコントローラ（３１５）はサービングセル（３０６）内に位置するユーザ機器（３１０）に接続するように構成され、前記ユーザ機器（３１０）は該ユーザ機器（３１０）が前記サービングセル（３０６）から移動可能なセルのリストを含むセルのアクティブセットを含み、前記方法は、
アクティブセットへの少なくとも１つの更なるセルの追加を前記ネットワークコントローラ（３１５）に通知する測定レポートをユーザ機器（３１０）から受信するステップ（６０１）と、
アクティブセット更新を前記ユーザ機器（３１０）に送信するステップ（６０２）であって、前記アクティブセット更新は、前記アクティブセットに追加される少なくとも１つの更なるセルについての情報と、前記少なくとも１つの更なるセルがハンドオーバに修正セル変更手順が使用されるセルのリストに追加されるか否かを示す情報要素とを含む、ステップと、
を含むことを特徴とする方法。
【請求項１０】
前記セル変更手順は高速サービングセル変更手順であることを特徴とする請求項９に記載の方法。
【請求項１１】
無線通信ネットワーク（３００）内に含まれるユーザ機器（３１０）内の装置（７００）であって、
前記装置（７００）は前記無線通信ネットワーク（３００）内でのハンドオーバに使用されるセル変更手順を構成するように構成され、
前記ユーザ機器（３１０）はネットワークコントローラ（３１５）に接続するように構成され、前記ユーザ機器（３１０）はサービングセル（３０６）内に位置しており、前記ユーザ機器（３１０）は該ユーザ機器（３１０）が前記サービングセル（３０６）から移動可能なセルのリストを含むセルのアクティブセットを含み、
前記装置（７００）は、更に、
アクティブセットへの少なくとも１つの更なるセルの追加を前記ネットワークコントローラ（３１５）に通知する測定レポートをインタフェース（３１２）を介して前記ネットワークコントローラ（３１５）に送信するように構成された送信機（７２０）と、
アクティブセット更新を前記ネットワークコントローラ（３１５）から受信するように構成された受信機（７３０）であって、前記アクティブセット更新は、前記アクティブセットに追加される少なくとも１つの更なるセルについての情報と、前記少なくとも１つの更なるセルがハンドオーバに修正セル変更手順が使用されるセルのリストに追加されるか否かを示す情報要素とを含む、受信機と、
現在のサービングセル（３０６）より強い隣接セル（３０８）を検出するように構成された検出器（７４０）と、
前記検出された強い隣接セル（３０８）を前記受信した修正セル変更手順が使用されるセルのリストとマッチングし、前記強い隣接セル（３０８）が前記リスト内のセルと一致することが判明した場合、前記強い隣接セル（３０８）へのハンドオーバに前記修正セル変更手順を適用するように構成されたプロセッサ（７５０）と、
を含むことを特徴とする装置（７００）。
【請求項１２】
前記プロセッサ（７５０）は、前記強い隣接セル（３０８）が一致しないことが判明した場合、前記ハンドオーバに通常のセル変更手順を適用するよう更に構成されることを特徴とする請求項１１に記載の装置（７００）。
【請求項１３】
前記修正セル変更手順は、前記強い隣接セル（３０８）を介したセル変更コマンドの送信を含むことを特徴とする請求項１１に記載の装置（７００）。
【請求項１４】
前記アクティブセット更新のメッセージは、無線リソース制御シグナリングを介して送信されることを特徴とする請求項１１に記載の装置（７００）。
【請求項１５】
修正セル変更手順が適用されるセルは、情報要素「ターゲットセル事前構成情報」を対応する「無線リンク追加情報」に含めることによりシグナリングされることを特徴とする請求項１１に記載の装置（７００）。
【請求項１６】
前記強い隣接セル（３０８）は、前記現在のサービングセル（３０６）と比較してより高い信号強度を隣接セル内で測定するユーザ機器（３１０）により検出されることを特徴とする請求項１１に記載の装置（７００）。
【請求項１７】
前記測定された信号は共通パイロットであることを特徴とする請求項１６に記載の装置（７００）。
【請求項１８】
前記セル変更手順は高速サービングセル変更手順であることを特徴とする請求項１１乃至１７の何れか一項に記載の装置（７００）。
【請求項１９】
無線通信ネットワーク（３００）内に含まれるネットワークコントローラ（３１５）内の装置（８００）であって、
前記ネットワークコントローラ（３１５）は、前記無線通信ネットワーク（３００）内でのハンドオーバに使用されるセル変更手順を構成するように構成され、
前記ネットワークコントローラ（３１５）はサービングセル（３０６）内に位置するユーザ機器（３１０）に接続するように構成され、前記ユーザ機器（３１０）は該ユーザ機器（３１０）が前記サービングセル（３０６）から移動可能なセルのリストを含むセルのアクティブセットを含み、
前記装置（８００）は、更に、
アクティブセットへの少なくとも１つの更なるセルの追加を前記ネットワークコントローラ（３１５）に通知する測定レポートをユーザ機器（３１０）から受信する（６０１）ように構成された受信機（８１０）と、
アクティブセット更新を前記ユーザ機器（３１０）に送信する（６０２）送信機（８２０）であって、前記アクティブセット更新は、前記アクティブセットに追加される少なくとも１つの更なるセルについての情報と、前記少なくとも１つの更なるセルがハンドオーバに修正セル変更手順が使用されるセルのリストに追加されるか否かを示す情報要素とを含む、送信機と、
を含むことを特徴とする装置（８００）。
【請求項２０】
前記セル変更手順は高速サービングセル変更手順であることを特徴とする請求項１９に記載の装置（８００）。
【請求項２１】
無線通信ネットワーク（３００）内のノード内のコンピュータ可読メモリに格納されたコンピュータプログラムであって、該コンピュータプログラムは、前記無線通信ネットワーク（３００）内でのハンドオーバに使用されるセル変更手順を構成するように構成され、
前記コンピュータプログラムは、
アクティブセットへの少なくとも１つの更なるセルの追加をネットワークコントローラ（３１５）に通知する測定レポートをインタフェース（３１２）を介して該ネットワークコントローラ（３１５）に送信するステップと、
アクティブセット更新を前記ネットワークコントローラ（３１５）から受信するステップであって、前記アクティブセット更新は、前記アクティブセットに追加される少なくとも１つの更なるセルについての情報と、前記少なくとも１つの更なるセルがハンドオーバに修正セル変更手順が使用されるセルのリストに追加されるか否かを示す情報要素とを含む、ステップと、
現在のサービングセル（３０６）より強い隣接セル（３０８）を検出するステップと、  前記検出された強い隣接セル（３０８）を前記受信した修正セル変更手順が使用されるセルのリストとマッチングするステップと、
前記強い隣接セル（３０８）が前記リスト内のセルと一致することが判明した場合、前記強い隣接セル（３０８）へのハンドオーバに前記修正セル変更手順を適用するステップと、
を実行させるための命令セットを含むことを特徴とするコンピュータプログラム。
【発明の詳細な説明】
【技術分野】
【０００１】
本発明は、電気通信システムにおける方法及び構成に関し、特に、電気通信システムにおいて高速ダウンリンク共有チャネル（ＨＳ−ＤＳＣＨ）サービングセル変更（ＨＳＣＣ）手順を構成する方法及び構成に関するものである。
【背景技術】
【０００２】
第３世代移動通信システム（ＵＭＴＳ）又は第３世代（３Ｇ）ネットワークは、複数の主要な構成要素、すなわち、ユーザセッションのセットアップ及び制御を管理する１つ以上のコアネットワーク及びエアインタフェースへのアクセスを制御するＵＭＴＳ無線アクセスネットワーク（ＵＴＲＡＮ）に分離される。ＵＴＲＡＮとユーザ機器（ＵＥ）との間のインタフェースは、「ノードＢ」と呼ばれることもあるノード（２Ｇ／ＧＳＭネットワークにおける基地局に類似する）又は基地局により提供される。ノードＢは、エアインタフェースを介するデータの送受信を管理し、無線ネットワークコントローラにより制御される。ユーザ及び制御データは、基地局及び無線ネットワークコントローラを介して基地局とコアネットワークとの間で転送される。基地局と無線ネットワークコントローラとの間のインタフェースは、Ｉｕｂインタフェースと呼ばれる。同一のネットワークにおける２つの無線ネットワークコントローラ間のインタフェースは、Ｉｕｒインタフェースと呼ばれる。Ｉｕインタフェースは、ユーザトラフィック（音声又はデータ等）及び制御情報を搬送し、主にソフトハンドオーバで必要とされる。ソフトハンドオーバは、符号分割多元接続（ＣＤＭＡ）及び広帯域符号分割多元接続（ＷＣＤＭＡ）規格により使用された特徴を示す。携帯電話等のユーザ機器は、通話中に２つ以上のセル（又はセルセクタ）に同時に接続される。アップリンク（ユーザ機器からセルサイト）上において、ソフトハンドオーバで通話を能動的にサポートしている全てのセルサイトセクタは、受信するビットストリームを受信したビットの品質に関する情報と共に無線ネットワークコントローラに返送する。無線ネットワークコントローラは、これら全てのビットストリームの品質を検査し、最高品質のビットストリームを動的に選択する。ここでも、信号が急速に劣化する場合、ソフトハンドオーバで通話をサポートしている他のセルセクタのうちの１つにおいて強い信号が使用可能になる確率は依然として高い。
【０００３】
ＵＴＲＡＮにおいて、高速ダウンリンク共有チャネル（ＨＳ−ＤＳＣＨ）は、専用チャネルのようにソフトハンドオーバを使用しない。その代わりに、ＨＳ−ＤＳＣＨサービングセル変更（ＨＳＣＣ）と呼ばれる手順は、ハードハンドオーバを構築するために利用される。ソフトハンドオーバは依然としてアップリンクに使用され、アクティブセットは、非高速ユーザ機器に対するのと同じように管理される。アクティブセットは、アップリンクソフトハンドオーバにおいてユーザ機器が接続された全てのセルを含む。ユーザ機器は、共通パイロット（ＣＰＩＣＨ）を継続的に測定し、ある特定の時間（トリガするための時間）の間に満たされるヒステレシスを含む。アクティブセット更新手順を概略的に図１に示す。アクティブセット更新手順は、測定レポート１ａ、１ｂ又は１ｃによりトリガされ（１０１）、新しいセルがアクティブセットにおいて追加（測定レポート１ａ）、削除（測定レポート１ｂ）又は置換（測定レポート１ｃ）される基準を満たしたことを無線ネットワークコントローラ３１５に通知する。測定レポート１ａ、１ｂ、１ｃは、ユーザ機器３１０からサービング無線ネットワークコントローラＳＲＮＣ等のネットワークコントローラ３１５に送信される。サービング無線ネットワークコントローラ３１５は、特定のユーザ機器３１０として動作する無線ネットワークコントローラの一種であり、そのユーザ機器３１０に対する接続を管理する。ＨＳ−ＤＳＣＨ動作において、ダウンリンクはソフトハンドオーバに存在しない。その代わりに、アクティブセットのセルのうちの１つ（一般に、最強のセル）は、現在のＨＳ−ＤＳＣＨサービングセルとして示される。次に、ネットワークコントローラ３１５は、無線リンク追加１０２を実行し、セットアップ要求及び応答を基地局３５０、３０７へ送信し且つセットアップ要求及び応答を基地局３５０、３０７から受信することにより、要求された無線リンクをセットアップする。ネットワークコントローラ３１５は、アクティブセット更新メッセージをユーザ機器３１０に送信する（１０５）。ユーザ機器３１０がネットワークコントローラ３１５からアクティブセット更新を受信した場合、ユーザ機器３１０は処理の準備１０６を行う。すなわち、ユーザ機器３１０は、メッセージを読み出し、新しい構成を適用し、例えば無線リンクを追加又は削除する。ユーザ機器３１０は、アクティブセット更新完了メッセージをネットワークコントローラ３１５に送信し（１０７）、アクティブセット更新が完了したことを確認する。アクティブセット更新手順の期間は、一例として以下のように算出され得る。
【０００４】
Ｔａｓｕ  ＝  Ｔｔｒｉｇ１ａ  ＋  ２＊ＴＵｕ  ＋  ２＊ＴＩｕｂ
ここで、
Ｔｔｒｉｇ１ａ＝測定レポート１ａをトリガするための時間＝３２０ｍｓ
ＴＵｕ＝Ｕｕ（無線インタフェース）遅延＝１００ｍｓ
ＴＩｕｂ＝Ｉｕｂ（無線ネットワークコントローラ−ノードＢインタフェース）遅延＝１０ｍｓ
Ｔａｓｕ＝アクティブセット更新に対する時間
【０００５】
ハードハンドオーバのための（通常の）ＨＳＣＣ手順に対するシグナリングシーケンスを図２のフローチャートとシーケンス図とを組み合わせた図において概略的に示す。ユーザ機器３１０は、ハンドオーバ評価２００を実行し、ハンドオーバが実行されるかを判定する。これは、現在のセル（サービングセル）より強い隣接セル（ターゲットセル）によりトリガされる。測定レポート１ｄがユーザ機器３１０からサービング無線ネットワークコントローラ（ＳＲＮＣ）等のネットワークコントローラ３１５に送信され（２０１）、アクティブセットの別のセルが最強のセルになったことを示す。一例として、ターゲットセルの測定された共通パイロットチャネルレベル（ＣＰＩＣＨ）が、パラメータＴｔｒｉｇ１ｄ（測定レポート１ｄをトリガするための時間）により支配された所定の時間ある特定のヒステレシスにより現在のセルより強い場合、測定レポート１ｄはユーザ機器から送信されるようにトリガされる。
【０００６】
ネットワークコントローラ３１５及びユーザ機器３１０における考えられる処理遅延を考慮しない場合（すなわち、シミュレーションにおいて）、使用されたセル変更手順の遅延Ｔｃｃは、一例として以下のように算出されてもよい：
【０００７】
Ｔｃｃ  ＝  Ｔｔｒｉｇ１ｄ  ＋  ＴＵｕ  ＋  ２＊ＴＩｕｂ  ＋  ＴＡｃｔｉｖａｔｉｏｎ  Ｔｉｍｅ
ここで、
Ｔｃｃ＝セル変更手順の遅延
Ｔｔｒｉｇ１ｄ＝測定レポート１ｄをトリガするための時間
ＴＵｕ＝Ｕｕ（無線インタフェース）遅延＝１００ｍｓ
ＴＩｕｂ＝Ｉｕｂ（無線ネットワークコントローラ−ノードＢインタフェース）遅延＝１０ｍｓ
ＴＡｃｔｉｖａｔｉｏｎ  Ｔｉｍｅ＝起動時間
【０００８】
ネットワークコントローラ３１５がこのより強いセルの存在を示す測定レポート１ｄを受信する場合、ネットワークはサービングセルを変更を決定する。すなわち、ネットワークはハンドオーバ決定２０２を行う。セル変更がトリガされる場合、ネットワークコントローラは、新しい構成を用いてソース及びターゲット基地局（図２において唯一の基地局として示される）を構成し、Ｉｕｂ移送ベアラを構成する。ネットワークコントローラ３１５は、無線リンク再構成準備メッセージを基地局３０５、３０７に送信し（２０３）、無線リンク再構成準備完了メッセージを返送される（２０４）。基地局３０５、３０７の双方（サービング及びターゲット）が構成を確認した際、ネットワークコントローラ３１５は、新しい構成への切り替えが同期手順である、すなわちユーザ機器３１０及びネットワークコントローラ３１５、すなわちサービングネットワークコントローラが同時に新しい構成に移動することを意味する場合に、新しい構成に対する起動時間の算出２０５を行う。起動時間はコネクションフレーム番号（ＣＦＮ）に比例する。再構成メッセージをユーザ機器３１０及び基地局３５０、３０７の双方に送信する（２０６）のに要する時間を範囲に含むために、オフセットが必要とされる。ネットワークコントローラ３１５は、物理チャネル再構成メッセージをユーザ機器３１０に送信する（２０７）。ユーザ機器３１０は処理２０６を実行する。すなわち、ユーザ機器３１０は、ネットワークコントローラ３１５からのメッセージを読み出し、新しい構成を適用する。例えば、ユーザ機器３１０は、ハンドオーバに対して無線リンク２０８を追加又は削除し、物理チャネル再構成メッセージ２０９をネットワークコントローラ３１５に送信する。
【０００９】
しかし、ターゲットセルに対してのセル変更手順が完了する前にソースセル（すなわち、サービングセル）のリンクの品質が劣化する可能性があるため、非常に高速で移動するユーザ機器３１０に対する問題が存在する。ネットワークコントローラ３１５が物理チャネル再構成メッセージ２０９を正常に送信できる前にこの問題が発生する場合、ネットワークコントローラ３１５はユーザ機器３１０に到達できず、通話は切断される。
【００１０】
従って、ＨＳ−ＤＳＣＨサービングセル変更手順は、無線プロトコル手順及び構造、Ｉｕｂ／Ｉｕｒプロトコル及びユーザ機器、基地局及び無線リソース管理（ＲＲＭ）性能要件に関して改良される必要がある。
【００１１】
切断率を低減するために、高速サービングセル変更手順に対していくつかの改善点がある。そのうちの一部を以下に簡単に列挙する。
・ ターゲットセルにおいてハンドオーバコマンドを送信すること。
・ シグナリング無線ベアラ（ＳＲＢ）パケット等の遅延に敏感なパケットに対して予測再送すること。
・ サービングノードＢ及びターゲットノードＢの双方からハンドオーバコマンドを双方向通信すること。
【００１２】
図２で例示されたような通常のＨＳ−ＤＳＣＨサービングセル変更手順に対する上述されたものを含むあらゆる改善及び変形は、以下において本発明の説明の範囲内の修正セル変更手順として示される。上記の改善に共通するのは、それがシステム性能においてある特定のコストで提供されることである。双方向通信により無線及びトランスポートネットワーク上の容量が減少し、予測再送は無線リソースを要し、ターゲットセル再指示はアクティブセットの全てのセルにおいてリソースを確保する必要がある。
【発明の概要】
【００１３】
従って、本発明の目的は、通信システムにおいて高速ダウンリンク共有チャネル（ＨＳ−ＤＳＣＨ）サービングセル変更（ＨＳＣＣ）手順を構成する高度な解決策を提供することである。
【００１４】
上記目的のうち少なくとも１つは、例示的な態様に係る方法又はノード及び本明細書において説明された本発明の実施形態により実現される。
【００１５】
更なる目的及び利点は、以下の説明から明らかである。
【００１６】
上述した目的は、本発明の第１の態様において、無線通信ネットワークでハンドオーバに使用されるセル変更手順を構成するユーザ機器における方法を提供することにより実現される。ユーザ機器はサービングセルに位置している。ユーザ機器は、ユーザ機器がサービングセルから移動できるセルのリストを含むセルのアクティブセットを含む。方法は：  −少なくとも１つの更なるセルをアクティブセットに追加するための要求を無線通信ネットワークに含まれるネットワークコントローラに送信するステップと；
−アクティブセットに追加される少なくとも１つの更なるセル及び修正セル変更手順がハンドオーバに使用されるセルのリストを含む要求されたアクティブセット更新をネットワークコントローラから受信するステップと；
−現在のサービングセルより強い隣接セルを検出するステップと；
−検出されたより強い隣接セルを受信した修正セル変更手順セルのリストとマッチングするステップと；
−より強い隣接セルがリスト上のセルをマッチングすることが判明する場合にハンドオーバのための修正セル変更手順をより強い隣接セルに適用するステップとから成る。
【００１７】
本発明に係る方法の別の実施形態において、より強い隣接セルがマッチングしないことが判明する場合に方法は、ハンドオーバのための通常のセル変更手順を適用するステップとを更に含む。
【００１８】
本発明に係る方法の更に別の実施形態において、修正セル変更手順は、より強い隣接セルを介したセル変更コマンドの送信を含む。
【００１９】
本発明に係る方法の更に別の実施形態において、アクティブセット更新メッセージは無線リソース制御シグナリングを介して送信される。
【００２０】
本発明に係る方法の更に別の実施形態において、修正セル変更手順が適用されるセルは、情報要素「ターゲットセル事前構成情報」を含むことにより対応する「無線リンク追加情報」に信号を伝送される。
【００２１】
本発明に係る方法の別の実施形態において、より強いセルは、現在のサービングセルと比較して隣接セルにおいてより高い信号強度を測定するユーザ機器により検出される。
【００２２】
本発明に係る方法の更に別の実施形態において、測定された信号は共通パイロットである。
【００２３】
本発明に係る方法の更に別の実施形態において、セル変更手順は高速サービングセル変更手順である。
【００２４】
本発明の第２の態様において、無線通信ネットワークでハンドオーバに使用されるセル変更手順を構成するネットワークコントローラにおける方法が提供される。ネットワークコントローラは、サービングセルに位置したユーザ機器に接続されるように構成される。ユーザ機器は、ユーザ機器がサービングセルから移動できるセルのリストを含むセルのアクティブセットを含む。方法は：
−少なくとも１つの更なるセルをアクティブセットに追加するための要求をユーザ機器から受信するステップと；
−アクティブセットに追加されるセルのリスト及び修正セル変更手順がハンドオーバに使用されるセルのリストを含むアクティブセット更新をユーザ機器に送信するステップとから成る。
【００２５】
本発明の第２の態様に係る方法の別の実施形態において、セル変更手順は高速サービングセル変更手順である。
【００２６】
本発明の第３の態様において、ユーザ機器における構成が提供される。ユーザ機器は無線通信ネットワークに含まれる。ユーザ機器装置は、ネットワークでハンドオーバに使用されるセル変更手順を構成するように構成される。ユーザ機器は、ネットワークコントローラに接続されるように構成される。ユーザ機器は、サービングセルに位置し、ユーザ機器がサービングセル（３０６）から移動できるセルのリストを含むセルのアクティブセットを含む。ユーザ機器装置は：
−少なくとも１つの更なるセルをアクティブセットに追加するための要求をインタフェースを介してネットワークコントローラに送信するように構成された送信機と；
−ネットワークコントローラからアクティブセット更新を受信するように構成された受信機であり、アクティブセット更新は、アクティブセットに追加されるセルのリスト及び修正セル変更手順がハンドオーバに使用されるセルのリストを含み、リストはメモリ部に格納される受信機と；
−現在のサービングセルより強い隣接セルを検出するように構成された検出器と；
−検出されたより強い隣接セルを受信した修正セル変更手順セルのリストとマッチングし且つより強い隣接セルがリスト上のセルをマッチングすることが判明する場合にハンドオーバのための修正セル変更手順をより強い隣接セル（３０８）に適用するように構成されたプロセッサとを更に備える。
【００２７】
本発明の第３の態様の別の実施形態において、より強い隣接セルがマッチングしないことが判明する場合にプロセッサは、ハンドオーバのための通常のセル変更手順を適用するように更に構成される。
【００２８】
本発明の第３の態様の更に別の実施形態において、修正セル変更手順は、より強い隣接セルを介してセル変更コマンドを送信することを含む。
【００２９】
本発明の第３の態様の更に別の実施形態において、アクティブセット更新メッセージは、無線リソース制御シグナリングを介して送信される。
【００３０】
本発明の第３の態様の更に別の実施形態において、修正セル変更手順が適用されるセルは、情報要素「ターゲットセル事前構成情報」を対応する「無線リンク追加情報」に含めることによりシグナリングされる。
【００３１】
本発明の第３の態様の更に別の実施形態において、より強いセルは、現在のサービングセルと比較して隣接セルにおいてより高い信号強度を測定するユーザ機器により検出される。
【００３２】
本発明の第３の態様の更に別の実施形態において、測定された信号は共通パイロットである。
【００３３】
本発明の第３の態様の更に別の実施形態において、セル変更手順は高速サービングセル変更手順である。
【００３４】
本発明の第４の態様において、ネットワークコントローラにおける構成が提供される。ネットワークコントローラは無線通信ネットワークに含まれる。ネットワークコントローラは、無線通信ネットワークでハンドオーバに使用されるセル変更手順を構成するように構成される。ネットワークコントローラは、サービングセルに位置したユーザ機器に接続されるように構成される。ユーザ機器は、ユーザ機器がサービングセルから移動できるセルのリストを含むセルのアクティブセットを含む。ネットワークコントローラは、
−少なくとも１つの更なるセルをアクティブセットに追加するための要求をユーザ機器から受信するように構成された受信機と；
−アクティブセットに追加されるセルのリスト及び修正セル変更手順がハンドオーバに使用されるセルのリストを含むアクティブセット更新をユーザ機器に送信するように構成された送信機とを更に備える。
【００３５】
本発明の第４の態様の別の実施形態において、セル変更手順は高速サービングセル変更手順である。
【００３６】
本発明の第５の態様において、無線通信ネットワークにおいてノードのコンピュータ可読メモリに格納されたコンピュータプログラムが提供される。プログラムは、無線通信ネットワークにおいてハンドオーバに使用されるセル変更手順を構成するように構成される。プログラムは：
−少なくとも１つの更なるセルをアクティブセットに追加するための要求を含む測定レポートを送信し；
−アクティブセットに追加されるセルのリスト及び修正セル変更手順がハンドオーバに使用されるセルのリストを含むアクティブセット更新をネットワークコントローラから受信し；
−現在のサービングセルより強い隣接セルを検出し；
−検出されたより強い隣接セルを受信した修正セル変更手順セルのリストとマッチングし；
−より強い隣接セルがリスト上のセルをマッチングすることが判明する場合にハンドオーバのための修正セル変更手順をより強い隣接セルに適用する命令セットを含む。
【００３７】
検出されたより強い隣接セルが受信した修正セル変更手順セルのリストとマッチングされるため、修正セル変更手順はセルレベルで構成可能にされる。このように、そのような改善がセル変更手順性能に関する問題が監視されるセルにのみ使用されるため、システム容量に関する改善のコストは最小限になるだろう。これの別の利点は、修正セル変更手順がターゲットセル性能に依存して適応できることである。
【００３８】
本発明に係る方法に関連して上述された特徴は、該当する場合には、方法に関連して説明されたのと同一の利点を含む本発明に係る構成において更に実現されてもよい。
【００３９】
当然、本発明の上記の態様は同一の実施形態において組み合わされてもよい。
【００４０】
次に、本発明の実施形態を示す添付の図面を参照することにより、以下の詳細な説明において本発明を更に詳細に説明する。
【図面の簡単な説明】
【００４１】
【図１】従来のアクティブセット更新手順を示すフローチャートとシーケンス図とを組み合わせた図である。
【図２】ＨＳ−ＤＳＣＨサービングセル変更の従来の手順を示すフローチャートとシーケンス図とを組み合わせた図である。
【図３】無線通信ネットワークを示す概略ブロック図である。
【図４】ハンドオーバに使用されるセル変更手順を構成する方法を示すフローチャートとシーケンス図とを組み合わせた図である。
【図５】ユーザ機器における方法の実施形態を示すフローチャートである。
【図６】ネットワークコントローラにおける方法の実施形態を示すフローチャートである。
【図７】ユーザ機器装置の実施形態を示す概略ブロック図である。
【図８】ネットワークコントローラの実施形態を示す概略ブロック図である。
【発明を実施するための形態】
【００４２】
基本的に本発明は、既知の高速ダウンリンク共有チャネル（ＨＳ−ＤＳＣＨ）サービングセル変更（ＨＳＣＣ）改善をある特定のセル、例えばある特定の性能の問題が検出されたセルにのみ適用できるようにする方法に関する。以下において、セル変更手順という用語は、高速ダウンリンク共有チャネル（ＨＳ−ＤＳＣＨ）サービングセル変更（ＨＳＣＣ）手順に対して使用される。これに対して必要な情報は、アクティブセット更新手順又は報知チャネルを介してユーザ機器３１０（ＵＥ）に送信される。従って、本発明の基本概念は、セルレベルで構成可能なセル変更改善を使用することである。このように、そのような改善がセル変更性能に関する問題が監視されるセルにのみ使用されるため、システム容量に関する改善のコストは最小限になるだろう。それにより、種々のセルにおけるセル変更信頼性は更に向上する。更に詳細には、本発明は、通常の又は修正された（すなわち、特殊な又は高速）セル変更手順がハンドオーバにおいてユーザ機器によりある特定のセルに適用されるかの構成に対して２つの他の実施形態を含む。以下において、通常のセル変更手順及び修正セル変更手順という用語が使用される。選択される特定のセル変更改善は、原則として本発明のに対して明らかである。
【００４３】
問題は、セルレベルで構成可能なセル変更改善を使用することにより解決される。ユーザ機器は、新しいセルをアクティブセットに追加するための要求をネットワークに送信する。上述したように、アクティブセットは、アップリンクソフトハンドオーバにおいてユーザ機器が接続される全てのセルを含む。次に、ユーザ機器は、アクティブセットに追加されるセルのリスト及び修正セル変更手順がハンドオーバに使用されるセルのリストを含むアクティブセット更新を返送される。アクティブセットのセルが現在のサービングセルより強いこと、すなわち、イベント１ｄの基準を満たすことをユーザ機器が検出する場合、ユーザ機器は、示された新しいターゲットセルを修正セル変更手順が使用される受信したセルのリストとマッチングする。ターゲットセルがリスト上でマッチングすることが判明すると、修正セル変更手順はハンドオーバに対してターゲットセルに適用される。
【００４４】
図３は、例えばＵＴＲＡＮ等の技術を使用する無線通信ネットワーク３００を示す。無線通信ネットワーク３００は、セル３２０に対応する基地局３０５及びセル３０８に対応する基地局３０７等のセルに対応する基地局を含む。基地局３０５及び３０７は、例えば無線アクセルネットワークにおける無線基地局であり、ノードＢと呼ばれてもよい。基地局３０５は、エアインタフェース３１２を介するデータの送受信を更に管理してもよい無線周波数送受信機を介してユーザ機器３１０と無線通信するように構成される。ユーザ機器３１０はノードデバイスと呼ばれてもよい。無線通信ネットワーク３００は、基地局３０５、３０７及びそれに接続された他の基地局を制御するように構成された無線ネットワークコントローラ３１５を更に含む。無線ネットワークコントローラ３１５は、ユーザ機器３１０の通信ネットワーク３００に対する接続ポイントである。ネットワークコントローラ３１５はコアネットワーク３１６に接続され、ユーザ機器３１０にサービスを提供する。
【００４５】
ユーザ機器３１０は、セル３０６から隣接セル３０８に向けて移動する。ユーザ機器３１０は、より強い隣接セルが検出される場合に一方のセルから他方のセルに移動するためにセル変更手順を使用する。ユーザ機器３１０は、ＨＳ−ＤＳＣＨを使用する場合、修正された高速セル変更手順又は通常の高速セル変更手順を使用する。通常のセル変更手順は上述されたとおりであり、修正セル変更手順は、ＨＳＣＣ性能に関する問題が監視されるセルにのみ使用されてもよい手順である。
【００４６】
上述したように、本明細書において修正セル変更手順と呼ばれるいくつかの改善は、切断率を低減する高速サービングセル変更手順に対して存在する。そのうちの３つについて以下に簡単に説明する。
・「ターゲットセルにおけるハンドオーバコマンドの送信」：この改善例において、図２の通常のＨＳ−ＤＳＣＨサービングセル変更手順におけるサービングセル３０６とは対照的に、セル変更コマンドはターゲットセルにおいて送信される。これにより、コマンドが送信される前にサービングセル３０６の品質が劣化する場合にロバスト性が改善する。アクティブセットにおける最強のセルとして最近報告されたターゲットセル３０８においてコマンドを送信することにより、正常な送信の確率が高まる。
・「シグナリング無線ベアラ（ＳＲＢ）パケット等の遅延に敏感なパケットに対する予測再送」：ＨＳ−ＤＳＣＨサービングセル変更コマンドを含むＲＲＣメッセージは、ＳＲＢ上に送信される。ＳＲＢは確認モードＲＬＣを採用する。すなわち、ＲＬＣ再送はサポートされる。一般に、受信機が紛失したパケットを検出してＳＴＡＴＵＳレポートを送信機に送信する場合又はポーリングタイマの有効期限が送信機側で切れる場合に再送がトリガされる。しかし、この再送手順により遅延が増加し、劣化サービングセル３０６の場合、正常な再送の確率が次第に減少する。従って、送信機が、例えば連続ＴＴＩにおいてＳＲＢパケットを予測再送する場合、ＨＳ−ＤＳＣＨセル変更コマンドのロバスト性は改善するだろう。しかし、この方式の欠点は、多くの予測再送が不要になるにつれてリソース消費が更に増加することである。
・「サービングノードＢ及びターゲットノードＢの双方からのハンドオーバコマンドの双方向通信」：この改善は第１の改善に類似する。本明細書において、ＨＳセル変更コマンドは、ソース３０６及びターゲットセル３０８の双方において送信され、正常な送信の確率を最大限にする。第１の改善と比較すると、これにより、測定レポートが生成されてからＨＳセル変更コマンドが送信されるまでの間のソース３０６及びターゲットセル３０８品質の変化に対してより高いロバスト性が与えられるべきである。
【００４７】
これらの全ての改善は、全てのセルにおけるセル変更手順に適用され、本明細書において上述したように、修正セル変更手順と呼ばれる。しかし、本発明は修正セル変更手順をある特定のセルにのみ適用する。修正セル変更手順は、ある特定のセル、例えばある特定の性能の問題が検出されたセルにのみ適用された。このように、そのような改善は、セル変更性能に関する問題が監視されるセルにのみ使用される。これにより、種々のセルにおけるセル変更信頼性が向上するため、システム容量に関する改善のコストは最小限になる。
【００４８】
セル変更手順において、ユーザ機器３１０はセルのアクティブセットのリストを使用する。セルのアクティブセットのリストは、ユーザ機器３１０がサービングセル３０６から移動できるセルのリストを含む。
【００４９】
図４は、ハンドオーバに使用されるセル変更手順を構成する方法の一例を示すフローチャートとシーケンス図とを組み合わせた図である。方法は以下のステップから成る。
【００５０】
ステップ４０１
ユーザ機器３１０は、アクティブセットに対してより強いセルであってもよい新しいセル、すなわち新しいセルｘを追加するための要求をネットワークコントローラ３１５に送信する。新しいセルｘは、例えばセル３０８であってもよい。このステップは、上述した従来技術におけるステップと同様に実行されてもよい。
【００５１】
要求は、共通パイロット（ＣＰＨＩＣＨ）上の測定値によりトリガされてもよい。トリガは、ある特定の時間帯（トリガするための時間）にわたり満たされるヒステリシスを含む。
【００５２】
ステップ４０２
ネットワークコントローラ３１５は、ステップ４０１の要求に対する応答として、例えば無線リソース制御（ＲＲＣ）のアクティブセット更新メッセージをユーザ機器３１０に送信する。アクティブセット更新メッセージは、ユーザ機器３１０に格納されたセルのアクティブセットのリストにセルｘを追加することに関する情報を含む。種々のセルにおけるセル変更信頼性を向上させるために、アクティブセット更新メッセージは、修正セル変更手順又は通常のセル変更手順がターゲットセル３０８において使用されるかを更に示す。本発明の一実施形態において、アクティブセット更新メッセージは、修正セル変更手順が使用される全ての隣接セルのリストを含む情報要素を含む。あるいは、新しい情報要素は、追加されたセルのリストにおいてセル毎に追加されてもよく、修正セル変更手順又は通常のセル変更手順が対応するセルにおいて使用されるかを示す。いくつかの実施形態において、これは、情報要素「ターゲットセル事前構成情報」を対応する「無線リンク追加情報」に含めることによりシグナリングされてもよい。ターゲットセル事前構成情報は、ターゲットセル３０８にアクセスするためにユーザ機器３１０により必要とされる情報を更に含んでもよい。情報要素は無線リソース制御メッセージにおけるフィールドであり、情報を搬送する。
【００５３】
セルにおいて切断された通話がそのターゲットセル３０８へのハードハンドオーバのための修正セル変更手順を使用する必要があるそのセルにおける問題を示す可能性があるため、ネットワークコントローラ３１５は、例えばネットワークコントローラ３１５に格納された切断された通話のログを使用してもよい。
【００５４】
ステップ４０３
ユーザ機器３１０は、ネットワークコントローラ３１５にアクティブセット更新完了メッセージを送信し（４０３）、アクティブセット更新が完了したことを確認する。
【００５５】
ステップ４０４
ユーザ機器３１０は、アクティブセット更新手順を完了した場合、この例においてはセル３０８である「より強いセル」の存在を示す測定レポートを例えば無線リソース制御シグナリングを介してネットワークコントローラ３１５に送信してもよい。レポートを送信するためのトリガは、例えばイベント１ｄであってもよい。すなわち、ユーザ機器３１０は、セルのアクティブセットに含まれる隣接セル３０８において、現在のサービングセル３０６の信号強度より高い共通パイロットチャネルレベル（ＣＰＩＣＨ）の信号強度を測定した。ユーザ機器３１０は、測定レポート１ｄを送信する前に、修正セル変更手順が使用される事前に受信されたセルのリスト上にターゲットセル３０８が存在するかを検出／マッチングすることにより、ターゲットセル３０８が修正セル変更手順又は通常のセル変更手順に対して構成されるかを判定する。測定レポートの内容は、修正セル変更手順又は通常のセル変更手順が使用されるかに依存して異なってもよい。
【００５６】
別の実施形態において、修正セル変更手順又は通常のセル変更手順が特定のセルにおいて適用されるかに関する情報は、報知チャネル（ＢＣＣＨ）のシステム情報ブロック（ＳＩＢ）においてユーザ機器３１０に同報通信される。アクティブセット更新の場合と同様に、修正セル変更手順がハンドオーバにおいて使用される隣接セルのリストを含む情報要素がその後追加される。
【００５７】
ステップ４０５
ネットワークコントローラ３１５は、測定レポートを受信し、受信した測定レポートに基づいてハンドオーバを決定してもよい。
【００５８】
ステップ４０６
ネットワークコントローラ３１５は、新しい構成を用いてサービング基地局３０５及びターゲット基地局３０７を構成してもよく、Ｉｕｂ移送ベアラを構成する。ネットワークコントローラ３１５は、サービング３０５及びターゲット基地局３０７の双方に無線リンク再構成準備メッセージを送信することによりこれを実行してもよい。
【００５９】
ステップ４０７
ネットワークコントローラ３１５は、サービング基地局３０５及びターゲット基地局３０７から無線リンク再構成準備完了メッセージを返送されてもよい。
【００６０】
ステップ４０８
サービング基地局３０５及びターゲット基地局３０７が再構成準備完了メッセージを送信することにより構成を確認した際、ネットワークコントローラ３１５は、新しい構成への切り替えが同期手順である、すなわちユーザ機器３１０及びネットワークコントローラ３１５が同時に新しい構成に移動することを意味する場合に、新しい構成に対する起動時間（例えば、Ｔａｓｕ）を算出してもよい。起動時間はコネクションフレーム番号（ＣＦＮ）に比例する。非同期手順の場合、起動時間は使用されない。
【００６１】
ステップ４０９
ネットワークコントローラ３１５は、無線リンク再構成コミットをサービング基地局３０５及びターゲット基地局３０７に送信してもよい。
【００６２】
ステップ４１０
ネットワークコントローラ３１５は、物理チャネル再構成メッセージをユーザ機器３１０に送信してもよい。メッセージは、それがより強い隣接セル３０８に構成されることをユーザ機器３１０に示す。
【００６３】
ステップ４１１
修正セル変更手順が使用される場合、ターゲット基地局３０７は、ＨＳ−ＳＣＣＨ上でユーザ機器３１０のスケジューリングを更に行ってもよい。それにより、事前構成されたセル変更がネットワークコントローラ３１５により承認されることをユーザ機器３１０に示す。このように、ソースセル信号レベルが、例えば高速移動ユーザ機器に対して又は街角の影響等のために劣化した場合、セル変更手順の信頼性は向上する。
【００６４】
ステップ４１２
ユーザ機器３１０は処理を準備する。すなわち、ユーザ機器３１０は、ターゲットセルＨＳ−ＳＣＣＨオーダーを受信した場合に、ネットワークコントローラ３１５からの再構成メッセージ又は事前構成情報を読み出す。
【００６５】
ステップ４１３
次に、ユーザ機器３１０はハンドオーバを実行する。同期手順が使用される場合、ハンドオーバは算出された起動時間で実行される。
【００６６】
ステップ４１４
ハンドオーバが完了した後、ユーザ機器３１０は、物理チャネル再構成完了メッセージをネットワークコントローラ３１５に送信してもよい。
【００６７】
次に、ユーザ機器３１０の観点から見た上述の方法を説明する。図５は、無線通信ネットワーク３００でハンドオーバに使用されるセル変更手順を構成するユーザ機器３１０における本発明の方法を示すフローチャートである。上述のように、ユーザ機器３１０はサービングセル３０６に位置している。ユーザ機器３１０は、ユーザ機器３１０がサービングセル３０６から移動できるセルのリストを含むセルのアクティブセットのリストを含む。方法は、ユーザ機器３１０により実行される更なるステップを含む。
【００６８】
ステップ５０１
ユーザ機器３１０は、少なくとも１つの更なるセルをアクティブセットに追加するための要求を無線通信ネットワーク３００に含まれたネットワークコントローラ３１５に送信する。
【００６９】
ステップ５０２
ユーザ機器３１０は、ネットワークコントローラ３１５から要求されたアクティブセット更新を受信する。アクティブセット更新は、アクティブセットに追加される少なくとも１つの更なるセルのリスト及び修正セル変更手順がハンドオーバに使用されるセルのリストを含む。
【００７０】
いくつかの実施形態において、アクティブセット更新メッセージは、無線リソース制御シグナリングを介して送信されてもよい。
【００７１】
いくつかの実施形態において、セル変更手順は高速サービングセル変更手順である。
【００７２】
ステップ５０３
ユーザ機器３１０は、現在のサービングセル３０６より強い隣接セル３０８を検出する。
【００７３】
いくつかの実施形態によると、より強いセル３０８は、現在のサービングセル３０６と比較して隣接セル３０８においてより高い信号強度を測定するユーザ機器３１０により検出されてもよい。
【００７４】
いくつかの実施形態において、測定された信号は共通パイロットであってもよい。
【００７５】
ステップ５０４
ユーザ機器３１０は、検出されたより強い隣接セル３０８を修正セル変更手順セルのリストとマッチングする。
【００７６】
ステップ５０５
より強い隣接セル３０８がリスト上のセルをマッチングすることが判明する場合にユーザ機器３１０は、ハンドオーバのための修正セル変更手順をより強い隣接セル３０８に適用する。
【００７７】
ステップ５０６
これはオプションのステップである。いくつかの実施形態において、より強い隣接セル３０８がマッチングしないことが判明する場合にユーザ機器３１０は、ハンドオーバのための通常のセル変更手順を適用してもよい。
【００７８】
いくつかの実施形態において、修正セル変更手順は、より強い隣接セル３０８を介してセル変更コマンドを送信することを含んでもよい。
【００７９】
いくつかの実施形態において、修正セル変更手順が適用されるセルは、情報要素「ターゲットセル事前構成情報」を含むことにより対応する「無線リンク追加情報」に信号を伝送されてもよい。
【００８０】
次に、ネットワークコントローラ３１５の観点から見た上述の方法を説明する。図６は、無線通信ネットワーク３００でハンドオーバに使用されるセル変更手順を構成するネットワークコントローラ３１５における本発明の方法を示すフローチャートである。ネットワークコントローラ３１５は、サービングセル３０６に位置したユーザ機器３１０に接続される。ユーザ機器３１０は、ユーザ機器３１０がサービングセル３０６から移動できるセルのリストを含むセルのアクティブセットを含む。方法は、ネットワークコントローラ３１５により実行される更なるステップを含む。
【００８１】
ステップ６０１
ネットワークコントローラ３１５は、少なくとも１つの新しいセルをアクティブセットに追加するための要求をユーザ機器３１５から受信する。
【００８２】
ステップ６０２
ネットワークコントローラ３１５は、アクティブセット更新をユーザ機器３１５に送信する。アクティブセット更新は、アクティブセットに追加されるセルのリスト及び修正セル変更手順がハンドオーバに使用されるセルのリストを含む。
【００８３】
無線通信ネットワーク３００でハンドオーバに使用されるセル変更手順を構成する図５に示された方法ステップを実行するために、ユーザ機器３１０は図７に示されたようなユーザ機器装置７００を備える。ユーザ機器３１０は、ネットワークコントローラ３１５に接続されるように構成され、サービングセル３０６に位置している。ユーザ機器３１０は、メモリ７１０に格納されたセルのアクティブセットを含む。セルのアクティブセットは、ユーザ機器３１０がサービングセル３０６から移動できるセルのリストを含む。
【００８４】
ユーザ機器装置７００は、少なくとも１つの更なるセルをアクティブセットに追加するための要求をインタフェース３１２を介してネットワークコントローラ３１５に送信するように構成された送信機７２０を備える。ユーザ機器装置７００は、ネットワークコントローラ３１５からアクティブセット更新を受信するように構成された受信機７３０を更に備える。アクティブセット更新は、アクティブセットに追加されるセルのリスト及び修正セル変更手順がハンドオーバに使用されるセルのリストを含み、リストはメモリ部７１０に格納される。ユーザ機器装置７００は、現在のサービングセル３０６より強い隣接セル３０８を検出するように構成された検出器７４０と、検出されたより強い隣接セル３０８を受信した修正セル変更手順セルのリストとマッチングし且つより強い隣接セルがリスト上のセルをマッチングすることが判明する場合にハンドオーバのための修正セル変更手順をより強い隣接セル３０８に適用するように構成されたプロセッサ７５０とを備える。
【００８５】
無線通信ネットワーク３００でハンドオーバに使用されるセル変更手順を構成する図６に示された方法ステップを実行するために、ネットワークコントローラ３１５は図８に示されたようなユーザ機器装置８００を備える。ネットワークコントローラ３１５は、無線通信ネットワーク３００でハンドオーバに使用されるセル変更手順を構成するように構成され、サービングセル３０６に位置したユーザ機器３１０に接続されるように構成される。ユーザ機器３１０は、ユーザ機器３１０がサービングセル３０６から移動できるセルのリストを含むセルのアクティブセットを含む。
【００８６】
ネットワークコントローラ装置８００は、少なくとも１つの更なるセルをアクティブセットに追加するための要求をユーザ機器３１５から受信する（６０１）ように構成された受信機８１０と、アクティブセットに追加されるセルのリスト及び修正セル変更手順がハンドオーバに使用されるセルのリストを含むアクティブセット更新をユーザ機器３１５に送信する（６０２）ように構成された送信機８０２とを備える。
【００８７】
無線通信ネットワークでハンドオーバに使用されるセル変更手順を構成する本発明の機構は、本発明の機能を実行するコンピュータプログラムコードに加えて、図７に示されたプロセッサ７５０等の１つ以上のプロセッサを介して実現されてもよい。プログラムコードは：
−少なくとも１つの更なるセルをアクティブセットに追加するための要求を含む測定レポートを送信し；
−アクティブセットに追加されるセルのリスト及び修正セル変更手順がハンドオーバに使用されるセルのリストを含むアクティブセット更新をネットワークコントローラ３１５から受信し；
−現在のサービングセル３０６より強い隣接セル３０８を検出し；
−検出されたより強い隣接セル３０８を受信した修正セル変更手順セルのリストとマッチングし；
−より強い隣接セル３０８がリスト上のセルをマッチングすることが判明する場合にハンドオーバのための修正セル変更手順をより強い隣接セル３０８に適用する命令セットを含む。
【００８８】
上述されたプログラムコードは、例えばユーザ機器３１０にロードされる際に本発明を実行するコンピュータプログラムコードを保持するデータ記憶媒体の形態でコンピュータプログラムとして更に提供されてもよい。そのようなキャリアの１つは、ＣＤ  ＲＯＭディスクの形態であってもよい。しかし、メモリスティック等の他のデータ記憶媒体でも実現可能である。更にコンピュータプログラムコードは、純プログラムコードとしてサーバ上に提供され、ユーザ機器３１０に遠隔にダウンロードされる。
【００８９】
本発明の好適な実施形態を使用する利点は、システム容量への影響を最小限にしてセル変更改善を適用できることである。
【００９０】
本明細書において説明された手段は、ソフトウェア手段、ハードウェア手段又は双方の組合せであってもよい。
【００９１】
当然、説明された内容は上述の実施形態に限定されず、本発明の基本概念の範囲内で変形されてもよい。
【図１】
0005493024.tif 000002
【図２】
0005493024.tif 000003
【図３】
0005493024.tif 000004
【図４】
0005493024.tif 000005
【図５】
0005493024.tif 000006
【図６】
0005493024.tif 000007
【図７】
0005493024.tif 000008
【図８】
0005493024.tif 000009